(57)【特許請求の範囲】
【請求項１】
同一形状の２つの防爆装置のそれぞれにおける配線締め付け具が突出した配線用側面の間に配置され、複数の前記防爆装置の電気的接続に用いられる防爆装置用連結部材であって、
少なくとも２面のそれぞれが、前記配線用側面と同一の外形形状を呈し、前記配線用側面に密着した状態で前記配線締め付け具が嵌入する貫通孔を備えた接続面であり、
内部に、前記貫通孔の内側で前記配線締め付け具から露出した配線を挟持する絶縁体を備えた防爆装置用連結部材。
【請求項２】
前記絶縁体は、前記接続面のそれぞれの内側で前記配線締め付け具から露出したケーブルを挟持するパッキンである請求項１に記載の防爆装置用連結部材。
【請求項３】
前記絶縁体は、前記接続面の中間部で前記配線締め付け具から露出した複数の導電線が両端に接続される導電体を保持する保持具である請求項１に記載の防爆装置用連結部材。
【請求項４】
前記接続面を互いに平行に配置した請求項１乃至３の何れかに記載の防爆装置用連結部材。
【請求項５】
前記接続面を互いに直交させて配置した請求項１乃至３の何れかに記載の防爆装置用連結部材。
【発明の詳細な説明】
【技術分野】
【０００１】
この発明は、可燃性ガス雰囲気の危険区域内での照明に使用される防爆装置に関し、特に、複数の防爆装置の連結に用いられる連結部材に関する。
【背景技術】
【０００２】
石油化学プラント等の可燃性ガス雰囲気の危険区域内でも、暗所や夜間の作業時に照明が必要とされる場合がある。このため、光源を電源回路等の電気部品とともに防爆構造の防爆容器に収納した防爆装置が提案されている（例えば、特許文献1参照。）。
【０００３】
危険区域内での照明は範囲の大きさや形状は多岐にわたるが、使用状況に合わせて光量や形状の異なる多種類の防爆装置を準備することとすると、製造効率が低下する。
【０００４】
そこで、比較的小型の単一種類の防爆装置を準備し、使用状況に応じて複数の防爆装置を連結して使用することが考えられる。図６に示すように、複数の防爆装置２００は、信号線、電源線及び接地線を通した保護管２１０によって接続される。即ち、各防爆装置２００の側面２０１から突出した配線締め付け具２０２を貫通した信号線、電源線及び接地線は、保護管２１０内を貫通する。
【先行技術文献】
【特許文献】
【０００５】
【特許文献１】特開平１１−０５３９２９号公報
【発明の概要】
【発明が解決しようとする課題】
【０００６】
しかし、従来の防爆装置は、各防爆装置における防爆容器の外部で保護管によって接続されるため、連結部分が長くなる。また、複数の防爆装置は、単一の方向にのみ連結され、連結部分で角度を変えることが容易でなく、多様な使用状況に対応できない場合を生じる。また、連結された複数の防爆装置の全体に一体感を与えることができない。
【０００７】
この発明の目的は、複数の防爆装置を直線状又は直交方向に一体的に連結することができる防爆装置用連結部材を提供することにある。
【課題を解決するための手段】
【０００８】
この発明に係る防爆装置用連結部材は、同一形状の２つの防爆装置のそれぞれにおける配線締め付け具が突出した配線用側面の間に配置され、接続面及び絶縁体を備えている。接続面は、少なくとも２面を構成し、配線用側面と同一の外形形状を呈し、配線用側面に密着した状態で配線締め付け具が嵌入する貫通孔を備えている。絶縁体は、貫通孔の内側で配線締め付け具から露出した配線を挟持する。
【０００９】
この構成によれば、２つの防爆装置が、各々の配線用側面から突出した配線締め付け具が貫通孔に嵌入した状態で、各々の配線用側面に接続面を密着させた連結部材によって一体的に連結される。配線締め付け具から露出した配線は、絶縁体によって挟持され、防爆性能が維持される。
【００１０】
この構成において、絶縁体は、接続面のそれぞれの内側で配線締め付け具から露出したケーブルを挟持するパッキンとすることができ、接続面の中間部で配線締め付け具から露出した複数の導電線が両端に接続される導電体を保持する保持部材とすることもできる。防爆装置に対する配線がケーブル又はバラ線のいずれであるかに応じて、最適な状態で防爆性能を維持することができる。
【００１１】
また、少なくとも２面の接続面は、互いに平行に配置することができ、互いに直交する方向に配置することもできる。複数の防爆装置を複数の方向に連結することができ、多様な使用状況に対応できる。
【発明の効果】
【００１２】
この発明によれば、複数の防爆装置を直線状又は直交方向に一体的に連結することができる。
【図面の簡単な説明】
【００１３】
【図１】この発明の実施形態に係る防爆装置用連結部材が適用される防爆型照明装置の組立図である。
【図２】この発明の第１の実施形態に係る防爆装置用連結部材の側面断面図である。
【図３】この発明の第２の実施形態に係る防爆装置用連結部材の側面断面図である。
【図４】この発明の実施形態に係る防爆装置用連結部材を用いた防爆装置の連結状態を示す図である。
【図５】（Ａ）〜（Ｃ）は、同防爆装置用連結部材の使用例を示す図である。
【図６】従来の防爆装置の接続状態を示す図である。
【発明を実施するための形態】
【００１４】
以下に、この発明の実施形態に係る防爆装置用連結部材について、図面を参照しつつ説明する。
【００１５】
防爆装置用連結部材が適用される防爆型照明装置１００は、図１に示すように、防爆容器１０１、本体１、蓋体２、ガラス板３、留め具４、パッキン５を備えている。本体１は、正面（図１において上向き。）１Ａに矩形状の窓部１１を備え、両側面１Ｂ，１Ｃに開口部１２を備えた筐体であり、内部の収納部１０に光源及び電気部品を収納する。
【００１６】
本体１の正面１Ａにおいて、窓部１１を挟む平行な２箇所には、保持部１３が一体的に形成されている。保持部１３は、開口面が正面１Ａに直交する溝部１４を構成する。２つの保持部１３は、溝部１４の開口面を互いに対向させて配置されている。溝部１４の両端は、開放している。
【００１７】
蓋体２は、この発明の配線用側面を構成し、本体１の側面１Ｂ，１Ｃのそれぞれに固定され、開口部１２を塞ぐ。本体２には、配線締め付け具２１が突出して形成されている。配線締め付け具２１は、光源及び電気部品に対する電源線、信号線及び接地線が挿通された状態で、本体１の内部を外部に対して遮蔽する。電源線、信号線及び接地線は、単一のケーブル内に収納され、又は各々が個別の導電線として配線される。
【００１８】
ガラス板３は、窓部１１よりも面積の大きい矩形状の強化ガラスであり、保持部正面１Ａに配置されて窓部１１を被覆する。ガラス板３の長辺は、保持部１３より長い。ガラス板３の外側面の周縁部には、パッキン６が貼付される。ガラス板３は、透光性の板材であればよく、例えば透明樹脂板で構成することもできる。
【００１９】
留め具４は、保持部１３の両端部の外側で正面１Ａに各々２本のネジを貫通孔４１を介して装着される。留め具４は、ガラス板３において保持部１３の両端から露出した部分を被覆する。
【００２０】
パッキン５は、弾性を有する環状体であり、ガラス板３と窓部１１の周縁部との間に配置される。
【００２１】
ガラス板３の内側面には、パッキン５が嵌入する凹部３１が形成されている。正面１Ａにおける窓部１１の周縁部にも、パッキン５が嵌入する凹部３２が形成されている。ガラス板３は、パッキン５により、正面１Ａにおける配置位置を規定される。ガラス板３を正面１Ａの適正な位置に配置した状態で正面１Ａに留め具４を装着すると、溝部１４の長手方向におけるガラス板３の移動が規制され、ガラス板３を正面１Ａにおける適正な位置に固定することができる。
【００２２】
２つの保持部１３のそれぞれの溝部１４内にガラス板３を挿入することにより、ガラス板３は長辺部を本体１の正面１Ａに一体的に形成された保持部１３で保持される。ガラス板３を十分な内圧強度を確保した状態で本体１に固定するに際して、コストの低廉化、組立作業の簡略化、装置の小型化を実現できる。
【００２３】
図２に示すように、防爆装置用連結部材３００は、直方体形状の筐体であり、一例として互いに平行な２側面を連結面３１０としている。連結面３１０は、防爆型照明装置１００の本体１の横断面形状と同一の外形形状を呈しており、防爆型照明装置１００の蓋体２から突出した配線締め付け具２１が突出方向に嵌入する貫通孔３１１を備えている。
【００２４】
防爆装置用連結部材３００の内部には、各貫通孔３１１の内側にパッキン３２０が配置されている。パッキン３２０は、この発明の絶縁体であり、配線締め付け具２１から露出したケーブル３３０を挟持する。２つのパッキン３２０は、２つの貫通孔３１１に連通した連通孔３４０の内周面に密着して配置されている。これによって、防爆装置用連結部材３００の内部における防爆性能が維持される。
【００２５】
なお、底面３５０に装着されている蓋３６０を取外して新たな貫通孔を形成し、別のパッキン３２０を配置することで、互いに直交する２側面を連結面３１０とすることもできる。この場合に、連結しない一方の側面を閉鎖することもできる。
【００２６】
図３に示すように、防爆装置用連結部材３００の内部に、３本の導電体３８０を挟持する絶縁性の保持具３７０を、連通孔３４０の内周面に密着させて配置することで、電源線、信号線及び接地線を個別の導電線として配線される場合に対応することができる。この場合には、保持具３７０がこの発明の絶縁体に相当し、保持具３７０によって防爆装置用連結部材３００内の防爆性能を維持することができる。
【００２７】
図２又は図３に示した防爆装置用連結部材３００を用いることで、防爆装置用連結部材３００に設けられた貫通孔３７１、蓋体２に設けられた貫通孔２２及び本体１の側面に設けられたネジ穴１５にネジ３８１を通して締め付けることにより、防爆装置用連結部材３００が防爆型照明装置１００に固定される。これによって、２つの防爆型照明装置１００が図４に示すように、一体的に連結される。また、互いに直交する２面を連結面３１０とすることで、図５（Ａ）及び（Ｂ）に示すように複数の防爆型照明装置１００を互いに直交させて一体的に連結することができる。
【００２８】
さらに、３面を連結面とすることで、図５（Ｃ）に示すように３つの防爆型照明装置１００をＴ字状に一体的に連結することもでき、３つ以上の防爆型照明装置１００を立体状に一体的に連結することもできる。
【００２９】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【００３０】
例えば、防爆装置は、照明機能を有する防爆型照明装置１００に限るものではなく、光電スイッチの機能を有する防毒装置や画像表示機能を有する防爆装置にも、この発明の防爆装置用連結部材を同様に適用できる。
【符号の説明】
【００３１】
１００−防爆型照明装置（防爆装置）
３００−防爆装置用連結部材
３１０−連結面
３１１−貫通孔
３２０−パッキン（絶縁体）
３７０−保持具（絶縁体）
【図１】
0005576232.tif 000002
【図２】
0005576232.tif 000003
【図３】
0005576232.tif 000004
【図４】
0005576232.tif 000005
【図５】
0005576232.tif 000006
【図６】
0005576232.tif 000007